(57)【要約】【課題】第１の枠体と第２の枠体とをより確実に係合可能で且つ開放も容易なカプセル容器を提供すること。【解決手段】カプセル容器において、第２の枠体２０の爪２２の係止面２２ａは、嵌合部分２０ａの外面に近接する方向に傾斜し、第１の枠体１０の爪孔１２の縁面１２ａは、嵌合部分１０ａの外面に対して傾斜し、爪２２の係止面２２ａと爪孔１２の縁面１２ａとが面接触することで、第１の枠体１０と第２の枠体２０との開放を防止することができようにした。【選択図】  図３
2011255916.tif 000002
【特許請求の範囲】
【請求項１】
開口を有しヒンジによって互いに連結された弾性変形可能な第１の枠体及び第２の枠体を備え、前記第１の枠体の開口と前記第２の枠体の開口とを突き合わせた状態で、前記第２の枠体の開口縁である嵌合部分に前記第１の枠体の開口縁である嵌合部分を外側から嵌合させることによって容器を構成するカプセル容器において、
前記第２の枠体の嵌合部分には外方に突出する爪が形成され、該爪には、該第２の枠体の嵌合部分の外面に近接する方向に傾斜する係止面が形成され、
前記第１の枠体の嵌合部分には、前記第２の枠体の嵌合部分に該第１の嵌合部分を外側から嵌合する際に前記爪が内側から嵌入される爪孔が形成され、該爪孔の縁には、該第１の枠体の嵌合部分の外面に対して傾斜し、前記爪が嵌入された状態で前記第２の枠体と該第１の枠体とが開放される方向に動作する際に前記係止面が面接触する縁面が形成されていることを特徴とするカプセル容器。
【請求項２】
前記第２の枠体の外面には該第２の枠体の嵌合部分以外の部分に突起が形成され、前記第１の枠体には、該第２の枠体の嵌合部分に該第１の枠体の嵌合部分を外側から嵌合させた状態で、前記突起に外側から嵌合可能で嵌合状態で該突起の外周に弾性的に圧接されて該突起を捕捉可能な係止片を有する留め具が形成されていることを特徴とする請求項１に記載のカプセル容器。
【請求項３】
前記第１の枠体の内面には、前記第２の枠体の嵌合部分に該第１の枠体の嵌合部分を外側から嵌合させた状態で、前記第１の枠体の嵌合部分との間で前記第２の枠体の嵌合部分を挟持するリブが形成されていることを特徴とする請求項１又は２に記載のカプセル容器。
【請求項４】
全体が樹脂にて一体成型されていることを特徴とする請求項１から３いずれか一項に記載のカプセル容器。
【請求項５】
前記樹脂はポリプロピレンであることを特徴とする請求項４に記載のカプセル容器。
【発明の詳細な説明】
【技術分野】
【０００１】
本発明は、カプセル容器に関するものである。
【背景技術】
【０００２】
自動販売機で玩具を販売するために、玩具をカプセル容器に入れて販売することが行われている。
このカプセル容器は、半球状で開口を有する第１の枠体及び第２の枠体を備え、第１の枠体の開口と第２の枠体の開口とを突き合わせた状態で該第２の枠体の開口縁に該第１の枠体の開口縁を外側から嵌合させるように構成されている（例えば、特許文献１）。
一方、カプセル容器に入れられた玩具（カプセル玩具）を販売するための自動販売機は、コンビニエンスストアの店先やデパートの階段の踊り場などに設置されており、この自動販売機にあっては、ケース内に多数種類のカプセル玩具を収納しておき、１枚乃至２枚のコインを投入した後、ハンドルを回転させることによって、カプセル玩具を落下させて排出するようになっている。その際、ハンドルの操作に伴ってケース内のカプセル玩具が撹拌される。
【先行技術文献】
【特許文献】
【０００３】
【特許文献１】実願平３−１０４５９８号公報
【発明の概要】
【発明が解決しようとする課題】
【０００４】
ところで、上記自動販売機にあっては、カプセル玩具の撹拌の際や、カプセル玩具の落下の際に、カプセル容器が側面荷重や落下衝撃を受ける。そして、その側面荷重や落下衝撃によって、カプセル容器が変形して開いてしまうことがある。また、人がカプセル容器を握ったりした場合にも、かかる問題が生じる場合がある。
そこで、従来、第２の枠体の開口縁に第１の枠体の開口縁を外側から嵌合させた上で、さらに、第１の枠体と第２の枠体とが強固に係合されるように第１の枠体の外面と第２の枠体の外面とに亘って粘着テープを貼り付けることが行われていた。
しかし、このように粘着テープを使用する場合、カプセル容器を開ける際にテープを剥がさなければならず面倒である。
本発明は、かかる問題点に鑑みなされたもので、第１の枠体と第２の枠体とをより確実に係合可能で且つ開放も容易なカプセル容器を提供することを目的とする。
【課題を解決するための手段】
【０００５】
請求項１に記載のカプセル容器は、
開口を有しヒンジによって互いに連結された弾性変形可能な第１の枠体及び第２の枠体を備え、前記第１の枠体の開口と前記第２の枠体の開口とを突き合わせた状態で、前記第２の枠体の開口縁である嵌合部分に前記第１の枠体の開口縁である嵌合部分を外側から嵌合させることによって容器を構成するカプセル容器において、
前記第２の枠体の嵌合部分には外方に突出する爪が形成され、該爪には、該第２の枠体の嵌合部分の外面に近接する方向に傾斜する係止面が形成され、
前記第１の枠体の嵌合部分には、前記第２の枠体の嵌合部分に該第１の嵌合部分を外側から嵌合する際に前記爪が内側から嵌入される爪孔が形成され、該爪孔の縁には、該第１の枠体の嵌合部分の外面に対して傾斜し、前記爪が嵌入された状態で前記第２の枠体と該第１の枠体とが開放される方向に動作する際に前記係止面が面接触する縁面が形成されていることを特徴とする。
【０００６】
請求項２に記載のカプセル容器は、請求項１に記載のカプセル容器において、前記第２の枠体の外面には該第２の枠体の嵌合部分以外の部分に突起が形成され、前記第１の枠体には、該第２の枠体の嵌合部分に該第１の枠体の嵌合部分を外側から嵌合させた状態で、前記突起に外側から嵌合可能で嵌合状態で該突起の外周に弾性的に圧接されて該突起を捕捉可能な係止片を有する留め具が形成されていることを特徴とする。
【０００７】
請求項３に記載のカプセル容器は、請求項１又は２に記載のカプセル容器において、  前記第１の枠体の内面には、前記第２の枠体の嵌合部分に該第１の枠体の嵌合部分を外側から嵌合させた状態で、前記第１の枠体の嵌合部分との間で前記第２の枠体の嵌合部分を挟持するリブが形成されていることを特徴とする。
【０００８】
請求項４に記載のカプセル容器は、請求項１から３いずれか一項に記載のカプセル容器において、全体が樹脂にて一体成型されていることを特徴とする。
【０００９】
請求項５に記載のカプセル容器は、請求項４に記載のカプセル容器において、前記樹脂はポリプロピレンであることを特徴とする。
【発明の効果】
【００１０】
請求項１に記載の発明によれば、第１の枠体と第２の枠体とが嵌合するとともに、第１の枠体の爪孔に第２の枠体の爪が嵌入されることで、第１の枠体と第２の枠体との係合がより確実となる。
また、第２の枠体の爪の係止面は、該第２の枠体の嵌合部分の外面に近接する方向に傾斜し、第１の枠体の爪孔の縁面は、該第１の枠体の嵌合部分の外面に対して傾斜し、爪が嵌入された状態で第２の枠体と第１の枠体とが開放される方向に動作する際に係止面と面接触するように構成されているので、例えば、カプセル容器に側面荷重や落下衝撃が加わった場合でも、爪と爪孔との係合が解除されにくいものとなる。
さらに、第１の枠体及び第２の枠体はヒンジによって連結されているので、その分も第１の枠体と第２の枠体との係合がより確実となる。
【００１１】
請求項２に記載の発明によれば、第２の枠体の嵌合部分以外の部分に突起が形成され、第１の枠体には、該突起の外周に弾性的に圧接して該突起を捕捉可能な係止片を有する留め具が形成されているので、さらに、第１の枠体と第２の枠体とをより確実に係合させることができる。
【００１２】
請求項３に記載の発明によれば、第１の枠体の内面には、該第１の枠体の嵌合部分との間で該第２の枠体の嵌合部分を挟持するリブが形成されているので、第１の枠体の嵌合部分、第２の枠体の嵌合部分、及びリブの並び方向への変形の際には、第１の枠体の嵌合部分と第２の枠体の嵌合部分とが同じ量だけ変形するので、第１の枠体と第２の枠体とが外れにくいものとなる。
【００１３】
請求項４に記載の発明によれば、全体が樹脂にて一体成型されているので、ゴミとなった場合の分別処理の必要がなくなる。
【００１４】
以上の発明は、樹脂がより柔軟性を持つ樹脂である場合に、例えば、請求項５に記載の発明のようにポリプロピレンである場合に特に有効である。
【図面の簡単な説明】
【００１５】
【図１】実施形態のカプセル容器の正面斜視図である。
【図２】図１のカプセル容器の左側面斜視図である。
【図３】図１のカプセル容器を開放した状態を示す斜視図である。
【図４】図１のカプセル容器の爪と爪孔との係合状態を示す図であり、（Ａ）は一の方向の外力が作用した場合の断面図、（Ｂ）は他の方向の外力が作用した場合の断面図である。
【図５】比較例のカプセル容器の爪と爪孔との係合状態を示す図であり、（Ａ）は一の方向の外力が作用した場合の断面図、（Ｂ）は他の方向の外力が作用した場合の断面図である。
【図６】図１のカプセル容器の爪の拡大断面図である。
【図７】図１のカプセル玩具の留め具の正面図である。
【図８】図１のカプセル玩具の第１の枠体、第２の枠体及びリブとの係合関係を示す断面図である。
【発明を実施するための形態】
【００１６】
以下に、本発明に係るカプセル容器の一実施の形態を、図面を参照しながら説明する。
【００１７】
図１は実施形態のカプセル容器の正面斜視図、図２は図１のカプセル容器の左側面斜視図である。
このカプセル容器１は、全体が樹脂、例えばポリスチレン樹脂又はポリプロピレン樹脂によって一体成型されている。このカプセル容器１は、図３に示すように、開口１１を有する第１の枠体１０と、開口２１を有する第２の枠体２０とを備えている。第１の枠体１０及び第２の枠体２０は略半球状で中空となっている。そして、このカプセル容器１は、第１の枠体１０と第２の枠体２０とがヒンジ３０によって互いに連結され、第１の枠体１０の開口１１と第２の枠体２０の開口２１とを突き合わせた状態で該第２の枠体２０の開口縁である嵌合部分２０ａに該第１の枠体１０の開口縁である嵌合部分１０ａを外側から嵌合させることによって容器が構成されて、玩具を内部に収容できるようになっている。なお、図１及び図２において符号１７は空気孔を指示している。
【００１８】
図３及び図４に示すように、第２の枠体２０の嵌合部分２０ａには爪２２が外方に突出して形成されている。この爪２２には係止面２２ａが形成されている。この係止面２２ａは、図６（Ａ）に示すように、嵌合部分２０ａの外面に近接する方向に傾斜している。換言すれば、係止面２２ａは、嵌合部分２０ａの外面に対して鋭角αを成すように傾斜している。
また、図３及び図４に示すように、第１の枠体１０の嵌合部分１０ａは他の部分に対して外方に段状に膨出しており、この嵌合部分１０ａには爪孔１２が形成されている。この爪孔１２には、図１及び図４（Ａ）に示すように、嵌合部分２０ａに嵌合部分１０ａを外側から嵌合させた際に、爪２２が内側から嵌入可能となっている。爪孔１２への爪２２の嵌入は、第１の枠体１０及び第２の枠体２０の弾性によって行われる。また、爪孔１２の縁には、図６（Ｂ）に示すように嵌合部分１０ａの外面に対して傾斜し、且つ、図４（Ａ）に示すように爪２２が嵌入された状態で第２の枠体２０と第１の枠体１０とが開放される方向に動作する際に係止面２２ａが面接触する縁面１２ａが形成されている。この縁面１２ａは嵌合部分１０ａの外面に対して鋭角αを成すように傾斜している
なお、この実施形態の爪２２は断面がほぼ３角形状となっているが、該断面は３角形状でなくてもよい。
【００１９】
また、図１及び図３に示すように、第１の枠体１０には留め具１３が形成されている。この留め具１３はヒンジ４０によって第１の枠体１０に連結されている。この留め具１３は、図７に示すように、矩形状の枠部１４と該枠部１４の中央部に形成された台形状の係止片１４ａ，１４ｂ，１４ｃ，１４ｄを備えている。枠部１４はある程度の剛性を有するように厚く形成され、係止片１４ａ，１４ｂ，１４ｃ，１４ｄは弾性を有するよう枠部１４よりも薄く形成されている。
一方、第２の枠体２０の表面には突起２３が形成されている。この突起２３は、突出方向に直交する断面が矩形状となっている。なお、突起２３は該断面が方形、円形その他の形状であってもよい。
そして、嵌合部分２０ａに嵌合部分１０ａを外側から嵌合させた状態で、カプセル容器１の外側から留め具１３を突起２３に嵌合させることで、係止片１４ａ，１４ｂ，１４ｃ，１４ｄの先端部が突起２３の４つの面に弾性的に圧接され、留め具１３によって突起２３が捕捉される。この捕捉状態を解く場合には、留め具１３を突起２３から離間させればよい。
【００２０】
また、図３及び図８に示すように、第１の枠体１０の内面には２つのリブ１５が該第１の枠体１０の周方向に互いに離間した位置に形成されている。リブ１５の一端部は嵌合部分１０ａの内面との間に所定の隙間１５ａを形成している。
そして、嵌合部分１０ａを嵌合部分２０ａに嵌合させた際、上記隙間１５ａに第２の枠体２０の嵌合部分２０ａが差し込まれ、この嵌合部分２０ａが嵌合部分１０ａとリブ１５との間で挟持されるようになっている。
【００２１】
このように構成されたカプセル容器１によれば、次のような作用及び効果を奏する。
第２の枠体２０の爪２２の係止面２２ａは、嵌合部分２０ａの外面に近接する方向に傾斜し、第１の枠体１０の爪孔１２の縁面１２ａは、嵌合部分１０ａの外面に対して傾斜しているので、図４（Ａ）に示すように、外力Ｆが作用した場合には、爪２２の係止面２２ａと爪孔１２の縁面１２ａとが面接触し、第１の枠体１０と第２の枠体２０とが開放されるのを防止することができる。この作用及び効果は、図５の比較例に示すように第２の枠体２０の爪２２の係止面２２ａが嵌合部分２０ａの外面に直立している場合にも得られる（図５（Ａ）参照）。
一方、図４（Ｂ）に示すように第１の枠体１０に外力Ｆが作用し、嵌合部分２０ａの外面に対して嵌合部分１０ａの内面が離れる方向に動作しようとする際には、縁面１２ａが爪２２の先に強く圧接され、これによって、嵌合部分１０ａに嵌合部分２０ａが追従するので、爪孔１２と爪２２との係合が解除されるのが防止される。この場合、嵌合部分１０ａ，２０ａは各基端部を中心に回転する形となる。
この作用及び効果は、図５の比較例に示すように第２の枠体２０の爪２２の係止面２２ａが嵌合部分２０ａの外面に直立している場合には得にくく、比較例では、嵌合部分２０ａの外面に対して嵌合部分１０ａの内面が離れる方向に少し動作しただけで、爪孔１２と爪２２との係合が解除されてしまうことになる（図５（Ｂ）参照）。
【００２２】
また、第２の枠体１０に突起２３が形成され、第１の枠体１０には、該突起２３の外周に弾性的に圧接して該突起２３を捕捉可能な係止片１４ａ，１４ｂ，１４ｃ，１４ｄを有する留め具１３が形成されているので、さらに、第１の枠体１０と第２の枠体２０とをより確実に係合させることができる。
【００２３】
また、第１の枠体１０の内面には、嵌合部分１０ａとの間で嵌合部分２０ａを挟持するリブ１５が形成されているので、嵌合部分１０ａ、嵌合部分２０ａ及びリブ１５の並びの方向への変形の際には、嵌合部分１０ａと嵌合部分２０ａとが同じ量だけ変形するので、嵌合部分１０ａと嵌合部分２０ａとが外れにくいものとなる。
【００２４】
また、全体が樹脂にて一体成型されているので、ゴミとなった場合の分別処理の必要がなくなる。
【００２５】
なお、以上の作用効果は、樹脂がより柔軟性を持つ樹脂である場合、例えば、ポリプロピレンである場合に特に有効である。
【００２６】
以上、本発明の実施形態について説明したが、本発明は、かかる実施形態に限定されるものではなく、その要旨を逸脱しない範囲で種々変形が可能であることは言うまでもない。
【符号の説明】
【００２７】
１      カプセル容器
１０    第１の枠体
１０ａ  嵌合部分
１１    開口
２０    第２の枠体
２０ａ  嵌合部分
２１    開口
２３    留め具
３０    ヒンジ
４０    ヒンジ
【図１】
2011255916.tif 000003
【図２】
2011255916.tif 000004
【図３】
2011255916.tif 000005
【図４】
2011255916.tif 000006
【図５】
2011255916.tif 000007
【図６】
2011255916.tif 000008
【図７】
2011255916.tif 000009
【図８】
2011255916.tif 000010